(57)【要約】【課題】この発明は、携帯電話機その他の電子情報通信端末本体の形状や大きさの制約を受けずに機器に装飾を施すこと、そして同時に、機器の基本的機能を阻害することなく多様的な装飾を付加すること、機器にとって重要なカメラ機能の使い勝手が阻止されないようにすること、を課題とするものである。【解決手段】この発明の筐体カバーは、携帯情報通信端末機器２に着脱可能に固定可能な筐体カバー本体１と補助板５とで構成し、前記筐体カバー本体１は、前記携帯情報通信端末機器のカメラレンズに対応する位置に透光部４を形成し、前記補助板５は、収納時は前記筐体カバー本体１に重なり前記透光部４を封鎖し、移動時は前記筐体カバー本体１の上縁又は左右側縁から突出し前記透光部４が露出するように、前記筐体カバー本体の上下又は左右方向に移動自在に取り付ける。そして、前記補助板には装飾部材を回動自在に取り付けるための取付部を設けて構成する。【選択図】  図２
2009206669.tif 000002
【特許請求の範囲】
【請求項１】
カメラレンズを有する携帯電子情報通信機器の筐体カバーであって、
前記携帯電子情報通信機器のカメラレンズが配置されている側に着脱自在に取り付けられ、前記カメラレンズに対応する位置に透光部が形成された筐体カバー本体と、
当該筐体カバー本体に可動機構を介して移動自在に取り付けられ、収納時には前記筐体カバー本体に重なり前記透光部を封鎖し、移動時には前記筐体カバー本体から外方に突出し前記透光部を露出させる補助板と、
当該補助板に設けられ、装飾部材が取り付けられる取付部と、
を備えることを特徴とする携帯電子情報通信機器の筐体カバー。
【請求項２】
取付部は補助板の端部に設けられ、該取付部に装飾部材が回動自在に取り付けられた、請求項１記載の携帯電子情報通信機器の筐体カバー。
【請求項３】
装飾部材は人形の腕とした、請求項１又は２に記載の携帯電子情報通信機器の筐体カバー。
【請求項４】
筐体カバー本体の端部には装飾部材を回動自在に取り付けるための補助取付部が設けられた、請求項1乃至３記載の何れかに記載のの携帯電子情報通信機器の筐体カバー。
【請求項５】
筐体カバー本体に取り付けられる装飾部材は人形の脚とした、請求項４記載の携帯電子情報通信機器の筐体カバー。
【請求項６】
可動機構は、筐体カバー本体の上部に設けられ、前記補助板を回動又は摺動により外方へ導出する構成とした、請求項１乃至５の何れかに記載の携帯電子情報通信機器の筐体カバー。
【請求項７】
装飾部材は第一部材と第二部材とで構成され、前記第一部材は、補助板の取付部に縦軸、横軸方向共に回動可能に取り付けられ、前記第一部材と前記第二部材とは横軸方向に回動可能、かつ前記第一部材と前記第二部材とが前記横軸方向の回動によって対向面が当接できるように関節部材を介して連結され、前記第一部材と前記第二部材の長さは共に前記補助板の上下寸法と同等とした、請求項１又は２に記載の携帯電子情報通信機器の筐体カバー。
【請求項８】
携帯電子情報通信機器は携帯電話機であり、前記筐体カバーは電池蓋である請求項１乃至７の何れかに記載の携帯電子情報通信機器の筐体カバー。
【発明の詳細な説明】
【技術分野】
【０００１】
この発明は、電池蓋を利用して、装飾性ないしは遊び心に富んだ携帯電話機その他の携帯電子情報通信機器を得るための電池蓋に関するものである。
【背景技術】
【０００２】
近年、電池蓋を交換可能とすることにより好みの電池蓋を取り付けて携帯電話機を個人の嗜好に合ったものに変更することができる商品が提案されている。
しかしながら、従来の交換用電池蓋は表面デザインを多様化したものであって、携帯電話機の形態事態に変化をもたらすものは提案されていない。
携帯電話機に立体的な造形物を付加するための提案として特開２００６−２９５８５９号公報に記載された発明がある。しかし、この発明も粘着テープで造形物（アクセサリー）を携帯電話機に貼り付けるものであって、携帯電話機の表面を装飾する域を出るものではない。
【特許文献１】特開２００６−２９５８５９号公報
【発明の開示】
【発明が解決しようとする課題】
【０００３】
この発明は、携帯電話機その他の電子情報通信端末本体の形状や大きさの制約を受けずに機器に装飾を施すこと、そして同時に、機器の基本的機能を阻害することなく多様的な装飾を付加すること、機器にとって重要なカメラ機能の使い勝手が阻止されないようにすること、を課題とするものである。
なお、現状においてカメラ機能の付いた携帯情報通信端末機器は携帯電話機の他ＰＤＡ、ラップトップ型パソコンだけであるが、この発明は携帯電話機に限らず、カメラ機能の付いた携帯情報通信端末に広く適用できるものである。
【課題を解決するための手段】
【０００４】
この発明は、上記課題を携帯情報通信端末機器の構成によって解決するものである。
すなわち、この発明の筐体カバーは、携帯情報通信端末機器に着脱自在に取り付け可能な筐体カバー本体と、これに移動自在に取り付けられた補助板とで構成し、この筐体カバー本体は、携帯情報通信端末機器のカメラレンズに対応する位置に透光部を形成し、補助板は、収納時は前記筐体カバー本体に重なり前記透光部を封鎖し、移動時は筐体カバー本体の上縁又は左右側縁から突出し前記透光部が露出するように、前記筐体カバー本体の上下又は左右方向に回動自在又は摺動自在に取り付ける。そして、前記補助板には装飾部材を回動自在に取り付けるための取付部を設けて構成する。
前記装飾部材の取付部は、補助板の他筐体カバー本体にも設けてもよい（請求項４）。
この発明は、上記課題を携帯情報通信端末機器の構成によって解決するものである。  
【０００５】
上記において、筐体カバーは、携帯電話機の電池蓋など携帯情報通信端末の部品を取り外して取り付けられるもの、携帯情報通信端末機器に付加して取り付けられるものの何れでもよい。そして、取付部の具体的な態様は取り付けようとする携帯情報通信端末の構成に対応させて決定する。  
【０００６】
前記筐体カバー本体の透光部は、筐体カバー本体の存在が撮影を阻害しないためのものであるから、実施例に示す孔の他、カメラレンズ用の常用フィルタその他のフィルタ素材を前記孔に装着した構成としてもよい。
前記補助板は、付加する装飾を筐体カバー本体（携帯情報通信端末における筐体カバーの取り付け部分の大きさ形状）の制約から解放するためのものである。そして、補助板の収納時とは、補助板を筐体カバー本体に重ね合わせた状態をいう。カメラレンズは通常携帯情報通信端末、主として携帯電話機本体の上部に配置されているので、補助板収納時にはカメラレンズが封鎖され、その状態では撮影することができない。
逆に、補助板を設けずに常時撮影可能としようとすると、装飾は筐体カバーの大きさの制約を逃れることができない。そこで、摺動又は回動という機構手段によって補助板を筐体カバーの上下縁又は左右縁から出入り可能としたものである。
【０００７】
前記装飾部材の前記補助板に対する移動の態様は、縦軸方向に加えて横軸方向に回動自在としたり、ユニバーサルジョイントによって全方向回動自在とすることも可能である。また装飾部材の形態は、携帯情報通信端末機器のそれ自体の形態に付加される立体的な造形物であれば問わない。本発明により得るべき効果として、実施例に示す携帯電話機を擬人化した造形を採るのが好ましいが、本発明の目的を達成し得る限り、携帯情報通信端末機器の装飾性を多様化する、あらゆる形態の装飾部材採用することができる。
【０００８】
前記装飾部材を人形あるいはロボットの腕とした場合、腕は第一腕部材と第二腕部材とで構成し、前記第一腕部材は、補助板の取り付け部材に縦軸、横軸方向共に回動可能に取り付け、第一腕部材と第二腕部材とは横軸方向に回動可能、かつ第一腕部材と第二腕部材とが前記横軸方向の回動によって対向面が当接できるように関節部材を介して連結し、第一腕部材と第二腕部材の長さは共に前記補助板の上下寸法と同等として構成することが好ましい。このように構成することにより、前記腕は平面的に折りたたむことができ、収納時（折り畳み時）に補助板に当接し、平面的な態様となる。
脚も第一脚部材と第二脚部材とを前記腕と同じ連結構造とし、補助板収納時に露出する電池蓋本体の上下寸法に対応した長さとすることにより、脚を平面的に折りたたむことができる。
【０００９】
この明細書において、縦軸とは携帯情報通信端末機器の使用状態における上下方向の軸、横軸とは携帯情報通信端末機器の左右方向に軸を意味するものとして使用する。また、上方、下方も前記端末機器の使用状態における上方、下方を意味するものとする。筐体カバー本体は、前記端末機器本体に接する面を裏面、装着時に露出する面を表面と表現する。補助板に関しては筐体カバー本体に重なった状態において露出する側を表面、筐体カバー本体に対向する側を裏面と表現する。
【発明の効果】
【００１０】
この発明によれば、携帯情報通信端末機器の筐体カバーを前記携帯端末機器本体に着脱自在に取り付け可能としたので、このカバーの要否に応じることができるとともに、他の種類のカバーと取り換えることができる。また、筐体カバー本体に取り付けた補助板を移動自在とし、前記筐体カバー本体は、前記携帯端末機器本体のカメラレンズに対応する位置に透光部を形成しているので、筐体カバーを取り外すことなく、補助板の移動のみでカメラ機能を利用でき、写真撮影をすることができる。
前記補助板は、収納時は前記筐体カバー本体に重なり前記透光部を封鎖し、移動時は前記筐体カバー本体の上縁から突出し前記透光部が露出するように、前記筐体カバー本体の上下方向又は左右方向に移動自在に取り付けたので、補助板は適宜筐体カバー本体の透光部を露出すべく移動することができ、補助板の存在によるカメラ機能の阻害を可及的に抑制することができ、補助板を移動させることにより即座にカメラによる撮影を行うことができる。
そして、前記補助板の両側には装飾部材を回動自在に取り付けるための取付部を設けてあるので、電池蓋ないしは携帯情報通信端末機器の大きさの制約を受けない装飾体を取り付けることができ、かつこの装飾体は補助板に回動自在に取り付けられているので、収納時は補助板の大きさに収まるように一体化することができる。
さらに、装飾体に擬人化する部材を採用することで、携帯情報通信端末機器の形態を、人形やロボットといった容姿で装飾することができる。
【発明を実施するための最良の形態】
【００１１】
電池蓋本体１は、携帯電話機本体２の略縦長長方形の電池蓋装着部分に着脱可能となるように構成してある。すなわち、携帯電話機本体２の上部には電池蓋装着用の上部係止溝が、下部端面には下部係止溝が設けてあり、略縦長長方形の電池蓋本体１の裏面（携帯電話機本体との対向面）には、上部に前記上部係止溝に係止する係止爪が、下部には前記下部係止溝に係止する係止爪３が設けてあり、前記携帯電話基本体に装着できるようにしてある。そして、その大きさ形状は前記携帯電話機本体２の電池蓋装着範囲に対応するものとしてある。この構造を採用することにより、携帯電話機の操作部や表示部を被覆することなく、かつ、携行性をも阻害することがない。
【００１２】
前記電池蓋本体１は、携帯電話機本体２に対向する内側１ａは合成樹脂製として絶縁性を確保し、外側１ｂは金属製（例えばアルミニウム）として強度を確保している。
【００１３】
前記電池蓋本体１には、前記携帯電話機本体のカメラレンズに対応する位置に透光部４としての孔が形成してあり、電池蓋本体１を携帯電話機本体２に装着した状態で携帯電話機のカメラ機能を発揮できるようにしてある。
【００１４】
前記電池蓋本体１の上縁部には補助板５が回動軸６を介して回動自在に取り付けてある。この補助板５は、電池蓋本体１の表面に当接した状態（収納時）から上方に略１８０度回動した状態まで移動可能であり、収納時は前記電池蓋本体に重なり前記透光部４を封鎖し、移動時は前記電池蓋本体の上縁から突出し前記透光部４が露出するようにしてある。
前記補助板５の左右両側、開き位置における上部には装飾部材としての人形（ロボット）の腕７を回動自在に取り付けるための腕取付部８が設けてある。
前記取付部８は縦方向に取り付けられた軸体である。また電池蓋本体１の下部左右両側には脚取付部９が設けてある。この脚取付部９は、上下方向に対向した一対の凸部９ａに脚１５の係止突起が係止する凹部を設けて構成してある。
【００１５】
前記腕取付部８には複数の直方体状ブロックを連結して構成された腕７が取り付けてある。
腕７は第一腕部材７ａと第二腕部材７ｂを連結して構成してある。そして、第一腕部材７ａは基部材７ａ１と従部材７ａ２とで構成してあり、第二腕部材７ｂも基部材７ｂ１と従部材７ｂ２とで構成してある。
前記第一腕部材７ａの側面に板状のアダプター１０が回転軸（縦軸）を介して横方向回転自在に取り付けてあり（図６参照）、アダプター１０の表面側（アダプターが補助板に当接した状態を基準とする）に横軸（突起）を介して前記第一腕部材の基部材７ａ１の側面が縦方向に回動自在に連結してある。
前記補助板５の表面はアダプター１０の当接部において、アダプター１０の厚味分窪ませて、アダプター１０が当接したときに補助板の表面とアダプターの表面とが表面が面一になるようにしてある。
前記第一腕部材７ａ１の上面（以下腕の構成の説明においては図５に示すように、アダプターを補助板に当接させて腕をたたみ込んだ状態を基準とする）に縦軸を介して第一腕部材７ａの従部材７ａ２が横方向回動自在に取り付けてある。
【００１６】
前記従部材７ａ２の上部には左右方向の溝１１が形成してあり、この溝１１に縦長の関節部材１２の一端部が前後方向の軸を介して縦方向（補助板と平行）に回動自在に取り付けてある。
他方前記第一腕部材７ａに並列する第二腕部材７ｂの基部材７ｂ１の上部にも同様に左右方向の溝１３が形成してあり（図９参照）、前記関節部材１２の他端部に前後方向の軸を介して基部材７ｂ１の上部が縦方向に回動自在に取り付けてある。
前記基部材７ｂ１の下端面には縦軸を介して掌に相当する従部材７ｂ２が横方向に回動自在に取り付けてある。
【００１７】
上記において、第一腕部材７ａの下端面から関節部材１２の上縁までの距離と、関節部材１２の上縁から第二腕部材の下端面までの寸法は一致させてあり、これらの寸法は補助板５の上下寸法とも一致させてある。
また、第一腕部材７ａと第二腕部材７ｂとを関節部材１２を介して連結した理由は、第一腕部材と第二腕部材とを並列させるためである。そこで、前記関節部材１２は、第二腕部材７ｂが回動して第一腕部材と第二腕部材とが並列し、かつ両者の側面同士が当接できる長さとする。
そして、左右の腕部材が共にその第一腕部材と第二腕部材との側面同士が当接したときに前記補助板５の表面に整列できるように、各腕部材の左右寸法も設定する。
【００１８】
脚１５も、取り付け部材９の凸部９ａ内側に形成された係止突起に係止させてある点以外、腕７と基本的に同様の構成である（但し上下が逆になる）。すなわち、脚１５は第一脚部材１５ａと第二脚部材１５ｂとで構成してあり、第一脚部材１５ａは基部材１５ａ１と従部材１５ａ２とで構成し、第二脚部材１５ｂは基部材１５ｂ１と従部材１５ｂ２とで構成する。そして、第一脚部材の基部材１５ａ１の側面は板状のアダプター１６を介して取付部９に横方向回動自在に取り付け、前記基部材１５ａ１の上端面に縦軸を介して従部材１５ａ２が取り付けてあり、従部材１５ａ２の上端に関節部材１７を介して第二脚部材１５ｂの基部材１５ｂ１が取り付けてあり、前記基部材１５ｂ１の下端側面に横軸を介して足に相当する従部材１５ｂ２が取り付けてある。
また、前記基部材１５ｂ１の下端部外側には縦長の溝１８が設けてあり、この溝の下部に前後方向の軸を介して補助ブロック１９が回動自在に取り付けてある。この補助ブロック１９は折り畳み時には前記溝１８内に収納されるように、溝の大きさおよび補助ブロックの大きさが設定してある。この補助ブロック１９はロボット載置時の安定性を高めるためのものであり、先端部は斜面として載置面への接触面積が大きくなるようにしてある。
【００１９】
脚１５も腕７と同様に、第一脚部材と第二脚部材とが並列し、両者の側面同士が当接できるようにしてある。そして左右の脚部材が共に並列したときに、前記電池蓋本体１の表面であって、補助板８が被さらずに露出している部分に整列できるような寸法としてある。
【００２０】
以上のように構成された電池蓋を携帯電話機本体２に装着することによりこの実施例における装飾部材である左右の腕と脚とで、携帯電話機本体２を胴とするロボット状の形態を得ることができる。
携帯電話機本体のモニタにロボットの目や口などを表した画像が表示されるようにプログラムをしておくと、より実感的なものとなる。
【００２１】
以下、動き・機能を説明する。
（カメラの使用）
電池蓋本体１の係止突起３などを携帯電話機本体２の係止溝に係止させることによって、電池蓋を携帯電話機本体２に装着する。この時、腕７及び脚１５は折り畳まれており、腕７は補助板５の表面に、脚１５は電池蓋本体１の表面に当接した状態で整列している。
この状態において、携帯電話機のカメラレンズは電池蓋の補助板５で覆われており、撮影することができない。
他方、電池蓋本体１にはカメラレンズ対応位置に透光部４が設けてあり、補助板５は回動可能となっている。また、脚１５は電池蓋本体１の露出部に当接しているので補助板５は脚１５に妨害されることなく自由に回動することができる。
したがって、電池蓋を装着した状態においても補助板を回動することによってカメラレンズを露出させ、写真撮影をすることが可能である。
【００２２】
（腕の動き）
腕７を伸ばすための操作は以下のとおりである。
腕７が折り畳まれた状態（図３参照）のまま、腕取付部８の軸を中心に電池蓋本体１の外側へ１８０度回動させる（図６参照）。次いで第二腕部材７ｂを上向きに回動させる。この回動は関節部材１２の下部及び上部をそれぞれ第一腕部材７ａ及び第二腕部材７ｂに取り付けられた軸を中心に回動させることにより行う。
上記操作の前又は後に、補助板５を上方へ回動させる。その後好みにより、以下の操作を行うことができる。
腕を拡げたい場合、第一腕部材７ａの基部材７ａ１をアダプター１０との連結軸を中心に回動させる。
腕を折り曲げたい場合、関節部材１２を回動させて第一腕部材７ａと第二腕部材７ｂの角度を所望の角度にする。この状態で腕は未だ左右方向の広がりであるが、この実施例においては第一腕部材７ａを基部材７ａ１と従部材７ａ２とに分割し、両者を回動自在に連結してあるので、従部材７ａ２を回動させることにより折り曲げた腕を前方に向けた状態とすることができる。
加えて、第二腕部材７ｂも基部材７ｂ１と従部材７ｂ２とに分割し、両者を回動自在に連結してあるので、掌の形状をした従部材を回動させることにより、腕の向きと掌の位置を自然な状態に保つことができる。
【００２３】
この実施例においては、電池蓋本体１に補助板５を回動自在に取り付けているので、電池蓋本体の大きさの制約から脱した位置に腕を配置することができ、補助板を回動させることにより写真撮影が可能となる。このことは装飾部材が腕でなくとも同様である。
【００２４】
この実施例においては、第一腕部材７ａをアダプター１０を介して補助板５に対して横方向、縦方向双方に回動自在に取り付けてある。このことにより腕を補助板に当接する状態から拡げた状態へと変化させることが可能となっている。このことも、装飾部材が腕でなくとも同様である。
【００２５】
（脚の動き）
脚１５を伸ばすための操作は以下のとおりであり、基本的に腕と同じである。
腕１５が折り畳まれた状態のまま、脚取付部１９の凹部と凸部とで構成される取付軸を中心に電池蓋本体１の外側へ１８０度回動させる。第一脚部材１５ａをアダプターの回転軸を中心として１８０度回動させる。次いで第二脚部材１５ｂを下向きに回動させる。この回動は関節部材１９の上部及び下部をそれぞれ第一脚部材１５ａ及び第二脚部材１５ｂに取り付けられた軸を中心に回動させることにより行う。
脚を拡げたい場合、第一脚部材１５ａの基部材１５ａ１をアダプター１６との連結軸を中心に回動させる。
脚を折り曲げたい場合、関節部材を回動させて第一脚部材１５ａと第二脚部材１５ｂの角度を所望の角度にする。この状態で腕は未だ左右方向の広がりであるが、この実施例においては第一脚部材１５ａを基部材１５ａ１と従部材１５ａ２とに分割し、両者を回動自在に連結してあるので、従部材１５ａ２を回動させることにより折り曲げた脚を前方に向けた状態とすることができる。
加えて、第二脚部材１５ｂも基部材１５ｂ１と従部材１５ｂ２とに分割し、両者を回動自在に連結してあるので、足の形状をした従部材を回動させることにより、脚の向きと足の位置を自然な状態に保つことができる。
【００２６】
なお、上記の実施例において、腕乃至は脚の部材と補助板とを連接する当接部の接合構造を、容易に着脱可能とする構成を採用することとしてもよい。このようにすることで、腕乃至脚の展開後に突出した部材と干渉し、怪我をするといったことを防ぐこともできる。
【００２７】
上記実施例においては、携帯電話機の装飾例として、その部材を人形あるいはロボットの腕、脚としたが、これら擬人化に限られず、動物や昆虫等の生物を模擬するものとしてもよい。あるいは機首、前翼、尾翼等の部材を採用して、航空機に擬態化したり、船舶、鉄道車両、自動車等に模擬したりしてもよい。
【００２８】
また、上記実施例において、装飾を施す機器の例に携帯電話機を採用しているが、これに限られることはない。すなわち、上述した機器のほか、ＰＨＳ等の通信機器、電子辞書、ゲーム機器といった電子機器においても同様に用いることができる。
【産業上の利用可能性】
【００２９】
この発明は、携帯電話機に立体的な装飾機能を持たせることができるものであり、産業上の利用可能性を有するものである。
【図面の簡単な説明】
【００３０】
【図１】この発明実施例の装飾体取り付け前の電池蓋本体の図
【図２】この発明実施例の斜視図
【図３】この発明実施例の装飾体折り畳み状態の正面図
【図４】同じく側面図
【図５】同じく斜視図
【図６】この発明実施例の腕と脚を１８０度回動させた状態の正面図
【図７】この発明実施例の補助板を回動させずに腕と脚を変形させた正面図
【図８】同じく側面図
【図９】この発明実施例において携帯電話機を開き、補助板を回動させた状態の正面図
【図１０】同じく背面図
【符号の説明】
【００３１】
１    電池蓋本体
２    携帯電話機本体
３    係止爪
４    透光部
５    補助板
６    回動軸
７    腕
８    腕取付部
９    脚取付部
１５  脚
【図１】
2009206669.tif 000003
【図２】
2009206669.tif 000004
【図３】
2009206669.tif 000005
【図４】
2009206669.tif 000006
【図５】
2009206669.tif 000007
【図６】
2009206669.tif 000008
【図７】
2009206669.tif 000009
【図８】
2009206669.tif 000010
【図９】
2009206669.tif 000011
【図１０】
2009206669.tif 000012